(57)【特許請求の範囲】
【請求項１】
情報を表示する情報表示部と、
音を出力する透明スピーカと、
前記透明スピーカを取り付ける溝を有し、該溝に前記透明スピーカを取り付けて前記情報表示部の表示面側に装着する透明支持部材とを備え、
情報表示部の表示面側とは反対側の前記透明支持部材の端面に、前記情報表示部、透明スピーカ及び透明支持部材で囲まれる空間に通じる空気孔を設け、前記透明スピーカの振動によって生じる空気流を、前記情報表示部の表示面前方に流出させることを特徴とする情報表示装置。
【請求項２】
前記透明スピーカが複数ある場合、前記透明支持部材は透明スピーカを同一平面内に配置することを特徴とする請求項１に記載の情報表示装置。
【請求項３】
情報を表示する情報表示部と、
音を入力する透明マイクと、
前記透明マイクを取り付ける溝を有し、該溝に前記透明マイクを取り付けて前記情報表示部の表示面側に装着する透明支持部材とを備え、
情報表示部の表示面側とは反対側の前記透明支持部材の端面に、前記情報表示部、透明マイク及び透明支持部材で囲まれる空間に通じる空気孔を設け、前記情報表示部の表示面前方からの音波による空気流を前記空間に流入させることを特徴とする情報表示装置。
【請求項４】
情報を表示する情報表示部と、
音を入力する透明マイクと、
前記透明マイクを取り付ける溝を有し、該溝に前記透明マイクを取り付けて前記情報表示部の表示面側に装着する透明支持部材と、
前記情報表示部を収容するキャビネットとを備え、
前記キャビネットに、前記情報表示部、透明マイク及び透明支持部材で囲まれる空間に通じる空気孔を設け、音波による空気流を前記空気孔から前記空間に流入させることを特徴とする情報表示装置。
【請求項５】
前記透明マイクが複数ある場合、前記透明支持部材は透明マイクを同一平面内に配置することを特徴とする請求項３又は請求項４に記載の情報表示装置。
【請求項６】
情報を表示する情報表示部と、
音を入力する透明マイクと、
前記透明マイクを取り付ける溝を有し、該溝に前記透明マイクを取り付けて前記情報表示部の表示面側に装着する透明支持部材と、前記情報表示部を収容するキャビネットとを備え、
前記キャビネットに、情報表示部、透明マイク及び透明支持部材で固まれる空間に通じる空気孔を設けるとともに、情報表示部の表示面側とは反対側の前記透明支持部材の端面と、前記透明支持部材の前記キャビネットに設けられた孔に連通する面とに、前記情報表示部、透明マイク及び透明支持部材で囲まれる空間に通じる空気孔を設けたことを特徴とする情報表示装置。
【発明の詳細な説明】
【０００１】
【発明の属する技術分野】
本発明は、透明スピーカあるいは透明マイクを表示面に取り付けた情報表示装置に関するものであり、特にモニタ付カメラ一体型記録装置、携帯情報端末あるいはカーナビゲーションの表示部に有用である。
【０００２】
【従来の技術】
近年、モニタ付カメラ一体型記録装置、携帯情報端末あるいはカーナビゲーション等において、液晶等の平面表示装置とスピーカやマイクとを組み合わせた小型機器が登場している。このような機器においては、小型化すると共に、部品配置の自由度とデザイン上の自由度を確保することが求められている。
【０００３】
図９に従来技術のモニタ付カメラ一体型記録装置を示す。モニタ付カメラ一体型記録装置５１は、被写体を撮像するカメラ部５２と、モニタ付記録再生部５３とを備える。
カメラ部５２は、被写体の音声を記録するためのマイクＭＩＣ５６と、カメラ部５２を操作するための操作キーＫ１を備える。
また、モニタ付記録再生部５３は、キャビネット５４、カメラ部５２で撮像された画像信号やマイクからの音声信号を記録する記録部（図示せず）、記録された信号を再生する再生部を備える記録再生部（図示せず）、撮像された画像信号や前記再生部で再生された画像信号を表示するモニタ部５５、モニタ付記録再生部５３を操作するための操作キーＫ２、前記再生部で再生された音声を出力するスピーカーＳＰ５７、を備える。
【０００４】
【発明が解決しようとする課題】
このような構成のモニタ付カメラ一体型記録装置にあっては、マイクＭＩＣ５６やスピーカＳＰ５７を設けるスペースが必要であり、設計の自由度やデザイン性及び装置の小型化を阻害する要因となっている。
【０００５】
特開平１０−１９１４９６号公報には、側面に空気穴を設けたスペーサ枠を介してディスプレイ前面に透明スピーカを装着した構造が示されている。こうして、設計の自由度を向上させ、小型化を図ることができる。しかしながら、透明スピーカの振動による空気流は、表示面に平行な方向に流れ、表示面を見ている使用者にとっては、側面に抜ける音は自分の方向に向けて出力されていないので、音を大きくしなければ聞き取り難くなるおそれがある。
【０００６】
また、特開平７−１６２９８２には、カメラ一体型ＶＴＲのカメラ部のレンズの前面に透明マイクを取り付けた構成が記載されている。確かに、透明マイクを用いてレンズの前面に配置すれば、設計の自由度は増し、小型化も図れる。しかし、マイクのサイズに制限を受け、十分な音質を確保できないおそれがあり、また前面からの音を録音するにはいいが、例えば撮影者の声を録音するには不適である。
【０００７】
本発明は、透明マイクや透明スピーカを用いて、録音や音の出力を効率的に行い、装置の設計自由度、デザイン性を向上させて小型化を図ることができる情報表示装置を提供することにある。
【０００８】
【課題を解決するための手段】
本発明の情報表示装置は、情報を表示する情報表示部と、音を出力する透明スピーカと、前記透明スピーカを取り付ける溝を有し、該溝に前記透明スピーカを取り付けて前記情報表示部の表示面側に装着する透明支持部材とを備え、情報表示部の表示面側とは反対側の前記透明支持部材の端面に、前記情報表示部、透明スピーカ及び透明支持部材で囲まれる空間に通じる空気孔を設け、前記透明スピーカの振動によって生じる空気流を、前記情報表示部の表示面前方に流出させることを特徴とする。
【００１０】
また、本発明の情報表示装置は、前記透明スピーカが複数ある場合、前記透明支持部材は透明スピーカを同一平面内に配置することを特徴とする。
【００１１】
また、本発明の情報表示装置は、情報を表示する情報表示部と、音を入力する透明マイクと、前記透明マイクを取り付ける溝を有し、該溝に前記透明マイクを取り付けて前記情報表示部の表示面側に装着する透明支持部材とを備え、情報表示部の表示面側とは反対側の前記透明支持部材の端面に、前記情報表示部、透明マイク及び透明支持部材で囲まれる空間に通じる空気孔を設け、前記情報表示部の表示面前方からの音波による空気流を前記空間に流入させることを特徴とする。
【００１２】
また、本発明の情報表示装置は、情報を表示する情報表示部と、音を入力する透明マイクと、前記透明マイクを取り付ける溝を有し、該溝に前記透明マイクを取り付けて前記情報表示部の表示面側に装着する透明支持部材と、前記情報表示部を収容するキャビネットとを備え、前記キャビネットに、前記情報表示部、透明マイク及び透明支持部材で囲まれる空間に通じる空気孔を設け、音波による空気流を前記空気孔から前記空間に流入させることを特徴とする。
【００１３】
また、本発明の情報表示装置は、前記透明マイクが複数ある場合、前記透明支持部材は透明マイクを同一平面内に配置することを特徴とする。
【００１４】
また、本発明の情報表示装置は、情報を表示する情報表示部と、音を入力する透明マイクと、前記透明マイクを取り付ける溝を有し、該溝に前記透明マイクを取り付けて前記情報表示部の表示面側に装着する透明支持部材と、前記情報表示部を収容するキャビネットとを備え、前記キャビネットに、情報表示部、透明マイク及び透明支持部材で固まれる空間に通じる空気孔を設けるとともに、情報表示部の表示面側とは反対側の前記透明支持部材の端面と、前記透明支持部材の前記キャビネットに設けられた孔に連通する面とに、前記情報表示部、透明マイク及び透明支持部材で囲まれる空間に通じる空気孔を設けたことを特徴とする。
【００１５】
本発明においては、透明支持部材を介して透明スピーカや透明マイクを情報表示部上に配置するので、設置場所を取らず、設計自由度が高い。また、透明スピーカや透明マイクの外側の露出面だけでなく、空気孔によって情報表示部に面する内側にも音波による空気流を生じさせることにより、より効率的な録音や音の出力ができる。
【００１６】
【発明の実施の形態】
本発明の一実施形態について図面を参照しながら説明する。
図１は、本発明に係る情報表示装置を備えたモニタ付カメラ一体型記録装置の一実施形態を示す外観図である。このモニタ付カメラ一体型記録装置１は、被写体を撮像するカメラ部２と、モニタ付記録再生部３とを備える。
【００１７】
カメラ部２はカメラ部２を操作するための操作キーＫ１を備える。
モニタ付記録再生部３は、キャビネット４、カメラ部２で撮像された画像信号やマイクからの音声信号を記録する記録部（図示せず）、記録された信号を再生する再生部を備える記録再生部（図示せず）、撮像される信号や前記再生部で再生された画像信号を表示するモニタ部（情報表示部）５、キャビネット４に設けられ後述する透明スピーカや透明マイクを取り付けるための透明枠（透明支持部材）６、前記再生部で再生された音声を出力する透明スピーカ（Ｌ）７、透明マイク８、前記再生部で再生された音声を出力する透明スピーカ（Ｒ）９、キャビネット４の装置上部の一部には空気孔１０を備える。
【００１８】
次に、透明スピーカ７，９、透明マイク８の基本構成について説明する。
図２は、モニタ付記録再生部３のモニタ部側の正面図である。図２に示すように、モニタ部５の表示面上に、透明スピーカ７，９が左右に配置され、その間に透明マイク８が配置されている。
【００１９】
まず、透明スピーカ７，９について説明する。なお、透明スピーカは基本的には静電型スピーカである。静電型スピーカには、プッシュプルタイプとシングルタイプがあるが、両タイプとも本発明を実現することができる。以下、シングルタイプにて説明する。
【００２０】
図３は、図２の左側からみたモニタ部５と透明スピーカ７部分の側面図である。ここで、透明スピーカ（Ｒ）９は透明スピーカ（Ｌ）７と同じであるので、透明スピーカ（Ｌ）７について説明し、透明スピーカ（Ｒ）９の説明は省略する。図３に示すように、透明スピーカ（Ｌ）７は、音波を発生する透明振動板７ａ、透明スピーカ（Ｌ）７の固定電極となる透明固定電極板７ｂ、透明振動板７ａ及び固定電極板７ｂを保持する透明枠６、透明枠６に形成される空気孔６ｂ、透明振動板７ａの前後面に透明振動板７ａの振動スペースと空気用スペースとして設けた空間１１を備える。
【００２１】
まず、例えば透明枠６の側面の一方より、透明枠６の溝６ａ溝に沿って透明スピーカ（Ｌ）７を挿入する等して、透明枠６に透明スピーカ（Ｌ）７が取り付けられる。次に、透明枠６をキャビネット４に取り付けることで、透明スピーカ（Ｌ）７は、モニタ付記録再生部３に設けられるモニタ部５の前面部に図示のように配置され取り付けられる。なお、透明枠６をキャビネット４に取り付けず、モニタ部５に直接取り付けてもよい。また、図示はしていないが、透明スピーカ（Ｌ）７の接続リード線には透明電極材を配設し、電気的接続は全て透明化している。
【００２２】
上述したように、透明スピーカ（Ｌ）７は、モニタ部５側に音波を発生する透明振動板７ａ、外部側（視聴者側）に透明固定電極板７ｂが配置され、透明枠６にて保持されている。透明振動板７ａと透明固定電極板７ｂとの配置が逆であっても、音を出す機能には支障がないが、透明固定電極板７を外部側（視聴者側）に配置することで、透明振動板７ａを保護することができるというメリットがある。
【００２３】
透明振動板７ａは、ベース材となる透明フィルム７ａ1と、透明スピーカ７の一方の電極となる透明電極７ａ2とにより構成されている。ここで、形成される透明電極７ａ2としては、例えば、酸化インジウム（Ｉｎ2Ｏ3）と酸化スズ（ＳｎＯ2）からなるＩＴＯ（Indium Tin Oxide）膜や酸化インジウム（Ｉｎ2Ｏ3）膜を導電性フィルム７ａ1上に、蒸着法やスパッタリング法にて成膜することで形成できる。なお、低抵抗，高透明度（高透過率），電極の微細加工が行い易いという点から、本発明においてはＩＴＯ膜が望ましい。
【００２４】
透明固定電極板７ｂは、ベース材となるガラス基板７ｂ1、ガラス基板７ｂ1に形成され透明スピーカ７の他方の電極となる透明電極７ｂ2とにより構成さる。また、透明固定電極板７ｂに形成される透明電極７ｂ2としては、例えば、前述したＩＴＯ膜をガラス基板７ｂ1上に成膜することで実現できる。
【００２５】
透明枠６の外周部には空気孔６ｂが多数設けられている。空気孔６ｂ方向は空間１１よりモニタ部５の表面に対して垂直な方向、すなわち視聴者側方向に向かって設けられている。図３の矢印及び空気流で示すように、透明振動板７ａにて発生された音波は、この空気孔６ｂを通って、モニタ部５の前面にいる視聴者に伝わる。従って、空気孔６ｂ方向を空間１１より視聴者側方向に向かって設けることで、音波が直接視聴者に伝わる。
【００２６】
図４は、図３の透明枠６の空気孔６ｂの方向とは異なるものを示している。
透明枠６の外周部には空気孔６ｂが多数設けられている。空気孔６ｂ方向は空間１１より透明枠６の外周部横方向に向かって設けられ、図４の矢印及び空気流で示すように、透明振動板７ａにて発生された音波は、この空気孔６ｂを通ってモニタ部５の表示面に平行に流れ出し、視聴者に伝わる。
【００２７】
図５は本発明の透明スピーカを動作させる回路図である。
まず、マッチングトランスＭＴの入力端子Ｔ1，Ｔ2に入力される音声信号までの信号処理は、通常のスピーカを動作させる処理と同じであり、説明は省略する。
音声処理回路（図示せず）にて所定の処理がなされた音声信号は、マッチングトランスＭＴの入力端子Ｔ1，Ｔ2に入力される。マッチングトランスＭＴは、音声処理回路（図示せず）と透明スピーカ（Ｌ）７（透明振動板７ａの透明電極７ａ2，透明固定電極板７ｂの透明電極７ｂ2）とのインピーダンスを整合する。
また、マッチングトランスＭＴの出力端子Ｔ3には、直流分カットコンデンサＣが接続され、他方の出力端子Ｔ4には、所定の直流電圧を発生し、バイアス電圧発生源となるバイアス電源Ｅの負側及び透明固定電極板７ｂの透明電極７ｂ2が接続されている。
【００２８】
直流分カットコンデンサＣの出力は、透明振動板７ａの透明電極７ａ2に接続されるとともに、前述したバイアス電源Ｅの正側に接続されたバイアス抵抗Ｒに接続されている。以上の構成により透明電極７ａ2には、バイアス抵抗Ｒを介しバイアス電源Ｅからの直流バイアス電圧が加えられている。
前述した入力端子Ｔ1に入力された音声信号は、出力端子Ｔ3より出力され、出力端子Ｔ3より出力された音声信号は、直流分カットコンデンサＣにて直流分がカットされる。
【００２９】
直流分がカットされた音声信号は、バイアス電源Ｅからの直流バイアス電圧に重畳され、透明振動板７ａの透明電極７ａ2に出力される。従って、透明電極７ａ2及び透明電極７ｂ2間に所定の電圧がかかることで、透明振動板７ａと透明固定電極板７ｂ間に静電力が働き、この静電力で透明振動板７ａが振動して音波を発生する。以上の動作にて、音声信号は音波へと変換される。
なお、マッチングトランスＭＴ、直流分カットコンデンサＣ、バイアス抵抗Ｒ、バイアス電源Ｅはモニタ付記録再生部３に備えられ、透明電極材にて、透明スピーカ（Ｌ）７に接続されている。
【００３０】
また、本発明構成の透明振動板７ａの透明電極７ａ2あるいは透明固定電極板７ｂの透明電極７ｂ2に、公知の予め帯電され電荷を保持したエレクトレットフィルムを貼付することで、バイアス電源Ｅを省略することもできる。これは、透明電極７ａ2あるいは透明電極７ｂ2に正又は負の電荷を半永久的に固定してしまうことで実現されるものである。
【００３１】
透明マイクの基本構成の一実施形態について、図６及び図７に基づき以下説明する。図６は図２の左側からみたモニタ部５と透明マイク８部分の側面図であり、図７は透明マイク８を動作させる回路図である。
なお、透明マイクは基本的には静電型マイクである。静電型マイクには、コンデンサ型とバイモルフ型があるが、両型とも本発明を実現することができる。また、以下の説明は、コンデンサ型にて説明する。
【００３２】
最初に、図６において、透明枠６の説明は前述した透明スピーカの説明と同じになるので省略し、ここでは、透明マイク８のみについて説明する。
キャビネット４の上面には、図示するように空洞４ａが設けられており、空気孔１０と空洞４ａとが連通しており、空気流を形成するように構成されている。被写体の音を形成する空気流を空気孔１０から空洞４ａを通じて空間１１に導き透明マイク８を振動させる構造であり、音を拾い易くしたものである。なお、キャビネット４に設ける空気孔１０は、キャビネット４の上面に限らず、音を拾える位置であればどこでもよい。
【００３３】
また、空気孔１０と空洞４ａとの形成のみでも、本発明の透明マイクは動作可能であるが、図６の下部に示すように、透明枠６に透明スピーカに述べたのと同様な空気孔６ｂを設け、空気流を空間１１に導き透明マイク８を振動させる。このように空気孔１０を設けて下部側の空気流を操作者方向から来るものとすることで、被写体の音声は装置上部より、操作者の音声は操作者方向より取り込むことができ、それぞれに適した方向より取り込むことができる。
なお、空気孔１０及び空洞４ａを透明スピーカの空気流と利用できるのは勿論のことである。
【００３４】
図６に示すように、透明マイク８は、音波にて振動する透明振動板８ａ、透明マイク８の固定電極となる透明固定電極板８ｂ、透明振動板８ａ及び固定電極板８ｂを保持する透明枠６、固定電極板８ｂに形成される空気孔６ｂ、透明振動板８ａの前後面に透明振動板８ａの振動スペースと空気用のスペースとして設けられた空間１１を備える。
【００３５】
透明マイク８は、モニタ付記録再生部３に設けられたモニタ部５の前面部に図示のように配置され、透明枠６をキャビネット４に取り付けることで、モニタ付記録再生部３に取り付けられる。
なお、透明スピーカと同様に、透明枠６をキャビネット４に取り付けず、ディスプレイ部５に直接取り付けることも可能である。また、図示はしていないが、透明マイク８とモニタ付記録再生部３との接続リード線に透明電極材を配設し、電気的接続は全て透明化している。
【００３６】
上述したように、透明マイク８は、モニタ部５側に音波にて振動する透明振動板８ａ、外部側（視聴者側）に透明固定電極板８ｂが配置され、透明枠６にて保持されている。透明振動板８ａと透明固定電極板８ｂとの配置が逆であっても、音を拾う機能に支障はないが、透明固定電極板８ｂを外部側（視聴者側）に配置することで、透明振動板８ａを保護することができるというメリットがある。
【００３７】
透明振動板８ａは、ベース材となる透明フィルム８ａ1と、透明マイク８の一方の電極となる透明電極８ａ2とにより構成されている。ここで、透明電極８ａ2形成される透明電極８ａ2としては、例えば、酸化インジウム（Ｉｎ2Ｏ3）と酸化スズ（ＳｎＯ2）からなるＩＴＯ（Indium Tin Oxide）膜や酸化インジウム（Ｉｎ2Ｏ3）膜を導電性フィルム８ａ1上に、蒸着法やスパッタリング法で成膜することで形成できる。なお、低抵抗，高透明度（高透過率），電極の微細加工が行い易いという点から、本発明においてはＩＴＯ膜が望ましい。
【００３８】
透明固定電極板８ｂは、ベース材となるガラス基板８ｂ1、ガラス基板８ｂ1に形成され、透明マイク８の他方の電極となる透明電極８ｂ2とにより構成される。また、透明固定電極板８ｂに形成される透明電極８ｂ2としては、例えば、前述したＩＴＯ膜をガラス基板８ｂ1上に成膜することで実現できる。
【００３９】
次に、図８を参照して回路動作説明をする。
まず、透明振動板８ａの透明電極８ａ2と透明固定電極板８ｂの透明電極８ｂ2とでコンデンサが形成されている。透明振動板８ａの透明電極８ａ2にはバイアス抵抗Ｒが接続され、バイアス抵抗Ｒの他方には、所定の直流電圧を発生し、バイアス電圧発生源となるバイアス電源Ｅの正側が接続されている。また、バイアス電源Ｅの負側は透明固定電極板８ｂの透明電極８ｂ2が接続されている。以上の構成により、透明電極８ｂ2には、バイアス抵抗Ｒを介しバイアス電源Ｅからの直流バイアス電圧が加えられている。
【００４０】
上述の装置にユーザ（図示せず）から発生された音波が到達すると、透明振動板８ａは振動し、透明振動板８ａの変位に伴う静電容量変化に比例した電圧が、バイアス抵抗Ｒの両端に出力される。両端に出力された出力電圧は、次段の音声処理回路（図示せず）へと出力される。以上の動作にて、ユーザ（図示せず）から発生された音波は音声信号へと変換される。次段の音声処理回路以後については、通常マイクの処理と同じであり、説明は省略する。
なお、バイアス抵抗Ｒ、バイアス電源Ｅはモニタ付記録再生部３に備えられ、透明電極材にて、透明マイク８に接続されている。
【００４１】
以上のように、本発明のモニタ付カメラ一体型記録装置は、モニタ部５前面の左右に透明スピーカを配置し、ステレオスピーカとし、更に透明マイクを配置するものである。従って、透明スピーカは左右方向の同一面上に配置される。
また、透明枠は左右方向の同一面上に配置された透明スピーカと、透明マイクを一つの部品で取付け可能となっている。
【００４２】
以上の説明においては、図４の透明スピーカ（Ｌ）７、透明マイク８、透明スピーカ（Ｒ）８の配置構成を説明したが、例えば、図８の配置のように、透明マイク（Ｌ）１２、透明マイク（Ｒ）１３を設け、透明マイクをステレオマイクとしてもよい。その他、透明スピーカと透明マイクの配置構成は、様々な配置構成できる。
【００４３】
【発明の効果】
以上説明したように、本発明によれば、情報表示部上に透明マイクや透明スピーカを配置することで、従来カメラ部に設けていたマイクやモニタ付記録再生部に設けていたスピーカを設けるスペースが不要となり、設計自由度が向上すると共に、小型化を図ることができる。
また、透明スピーカや透明マイクの外側の露出面だけでなく、空気孔によって情報表示部に面する内側にも音波による空気流を生じさせることにより、より効率的な録音や音の出力ができる。
また、複数の透明スピーカや透明マイクを透明支持部材により同一平面上に簡単に情報表示面に装着が可能である。
【図面の簡単な説明】
【図１】本発明に係る情報表示装置を備えたモニタ付カメラ一体型記録装置の一実施形態を示す外観図である。
【図２】モニタ部側の透明スピーカ及び透明マイクの配置を示す正面図である。
【図３】図２の左側からみたモニタ部と透明スピーカ部分の側面図である。
【図４】図２の左側からみたモニタ部と透明スピーカ部分の他の例を示す側面図である。
【図５】透明スピーカを動作させる回路図である。
【図６】図２の左側からみたモニタ部と透明マイク部分の側面図である。
【図７】透明マイクを動作させる回路図である。
【図８】モニタ部側の透明スピーカ及び透明マイクの他の配置を示す正面図である。
【図９】従来技術のモニタ付カメラ一体型記録装置を示す外観図である。
【符号の説明】
４  キャビネット
５  モニタ部
６  透明枠
６ｂ  空気孔
７，９  透明スピーカ
８  透明マイク
１０  空気孔
【図１】
0003792131.tif 000002
【図２】
0003792131.tif 000003
【図３】
0003792131.tif 000004
【図４】
0003792131.tif 000005
【図５】
0003792131.tif 000006
【図６】
0003792131.tif 000007
【図７】
0003792131.tif 000008
【図８】
0003792131.tif 000009
【図９】
0003792131.tif 000010